(57)【要約】【課題】ドアストッパにおいて、ドアストッパをドアに固定することで、ドア側面が汚れたり、傷がついたりすることがない。また、磁石のつかない木製のドアにも使用できる。【解決手段】ドアストッパは固定手段となるＴ字形固定手段１１１、Ｔ字形固定手段１１１に蝶番４により連結された脚部１３、脚部１３の先端に取り付けられた筒状滑り止め部７３から構成され、脚により床面を突っ張ることで、Ｔ字形固定手段１１１はドア下面部１０５を床面１０１に対して垂直上向きの力で押し上げ、同時にドア側面９９を床面１０１に対して平行でドアが閉まらない方向に押し付けることでドア１００に固定される。【選択図】        図７
2008014054.tif 000002
【特許請求の範囲】
【請求項１】
ドアが閉まらないようにするドアストッパにおいて、ドア側面方向から張り出して滑らないように床面を突っ張る脚部と、ドア下面部とドア側面部に接触する固定手段からなることを特徴とするドアストッパ。
【請求項２】
ドア側面方向から張り出した脚部により床面を突っ張ることでドアが閉まらないようにするドアストッパにおいて、ドア側面方向から張り出して滑らないように床面を突っ張る脚部と、ドア下面部とドア側面部を押し付ける固定手段と、脚部と固定手段を揺動自在に連結する連結部からなることを特徴とするドアストッパ。
【請求項３】
請求項１又は２に記載のドアストッパであって、固定手段はドアストッパを床面に立たせることが可能なＬ字形状やＴ字形状、及びドアに取付け可能な略コの字形状であることを特徴とするドアストッパ。
【請求項４】
請求項１から３のいずれか１項に記載のドアストッパであって、ドアの下面から床面までの隙間に応じて、ドアの下面と接触する固定手段の高さから床面と接触する脚部先端の高さまでの長さを調整することができる長さ調整手段があることを特徴とするドアストッパ。
【請求項５】
請求項１から４のいずれか１項に記載のドアストッパであって、ドアストッパを使用しないときは脚部が床面に接触しないように保持することが出来る脚部保持手段があることを特徴とするドアストッパ。
【請求項６】
請求項１から５のいずれか１項に記載のドアストッパであって、固定手段をドアに接合する接着テープは、ドア下面部と固定手段が接触する面に配置されていることを特徴とするドアストッパ。
【請求項７】
請求項１から６のいずれか１項に記載のドアストッパであって、固定手段とドアが接触する面に取り付けられたネジの周辺にはネジの飛び出し高さより厚い保護部材が構成されていることを特徴とするドアストッパ。
【請求項８】
請求項１から７のいずれか１項に記載のドアストッパであって、固定手段には取っ手部が構成されていることを特徴とするドアストッパ。
【請求項９】
請求項１から８のいずれか１項に記載のドアストッパであって、脚部に一定範囲以上の力が加わると脚部の床面側に接触している滑り止め部の他に、安全手段の接触部が床面に接触し、滑り止め部による摩擦力を低減させることを特徴とするドアストッパ。
【請求項１０】
請求項９に記載のドアストッパであって、前記接触部の形状は、回転するローラ形状やボール形状、滑り止め部より摩擦係数の低い材質からなる半球形状、曲面形状であることを特徴とするドアストッパ。
【発明の詳細な説明】
【技術分野】
【０００１】
本発明は、ドアを開かれた状態に保持するドアストッパに関する。
【背景技術】
【０００２】
従来、ネジや接着剤を用いてドア側面に脚部を固定させ、ドアが閉じる方向に移動しないように脚部で床を突っ張ることでドアを固定するドアストッパが知られている。
しかし、ドア側面にドアストッパを固定させるためにネジを使用するとドア側面を傷付けてしまう。またドア側面に接着剤でドアストッパを固定する場合は、引越しなどでドアストッパを取り外す時に、接着剤がきれいに取れないためドアを汚してしまうという問題があった。
【０００３】
そこでドアに傷をつけないように、ネジや接着剤を使わず磁石の磁力により鋼製や鉄製のドアに固定させて脚部により床を突っ張ることでドアを固定するドアストッパが、特許文献１により提案されている。
【０００４】
特許文献１に開示された従来技術を図２２の立体図、図２３のケース５２の断面図により説明する。特許文献１は内部に磁石本体６０が入ったケース５２と、合成樹脂皮膜５５と、ケース５２に固定され、断面形状が略Ｕ字状の取付片６１と、取付片６１にピン５３により揺動自在に連結される脚部５７と、脚部５７の端部にキャップ５１の滑り止めが固定されて構成されている。
【０００５】
ケース５２の周縁部５２aは、磁石本体６０のドアに吸着する面となる一表面６０aよりドア１００側に突出している。したがって磁石本体６０がドア１００に磁気吸着した状態では、前記ケース５２の周縁部５２ａがドア１００に当接し、磁石本体６０の一表面６０ａは、ドア１００の表面から離間している。
【０００６】
これによって、磁石本体６０がドア１００に密着した状態で磁気吸着している場合に比べて、ドア１００の表面とほぼ直角により多くの磁力線を通過させて、大きな磁気吸着力を得ることができるので、脚部５７に作用する外力に対して大きな磁気吸着力によって抗することが可能となる。
さらに特許文献１のドアストッパは磁気吸着力により鋼製や鉄製のドアに固定しているので取り付け、取り外しが容易に出来るという効果もある。
【０００７】
【特許文献１】実公平７―１２５９０号広報
【発明の開示】
【発明が解決しようとする課題】
【０００８】
しかしながら、前記した従来のドアストッパは、大きな磁気吸着力を出すものの、ドアストッパを鋼製や鉄製のドアから取付け取り外しが可能な永久磁石の磁気吸着力では、鋼製や鉄製のドアに固定した後、ドアストッパに衝撃や力が加わってしまうと、内部に磁石本体６０が固定されているケース５２の位置が、ズレてしまうという問題があった。つまり永久磁石は、鋼板や鉄板から磁石を離隔させようとするドア１００の側面に対して垂直方向の外力に対しては大きな抵抗力を示すが、ドア１００の側面に対して平行方向に永久磁石をスライドさせようとする外力に対しては抵抗力が小さい。
【０００９】
従って、脚部５７を急激に下方へ回動して、キャップ５１の滑り止が床面１０１に衝突したり、或いは、ドア１００を閉じる向きの衝撃的な力が作用すると、ケース５２の当初の位置からズレしてしまい、その結果、脚部５７の端部にあるキャップ５１の滑り止と床面１０１の位置がズレてしまい十分にドアを開かれた状態に保持する機能を果たせないという問題があった。
さらに細い幅の周縁部５２aには大きな磁気吸着力が発生しているが、合成樹脂皮膜で覆われていないので、ケース５２が磁石に吸着する鋼や鉄などの硬い材料で出来ている場合、周縁部５２aの位置がずれるとドア１００の側面を傷つけてしまうという問題があった。
【００１０】
また、ドアの下側に固定されているドアストッパを使用するとき、手でドアストッパの脚を床面に押し付けるには、かがまなければならないため面倒であり、人によっては足でストッパの脚を床面に押し付ける場合がある。この場合ドア１００の側面に対して平行な方向に強い力が加わり磁石がドア面に対して平行に滑り、周縁部５２ａがドア１００に強く当接して、より深くドア面を傷つけてしまうという問題もあった。
また特許文献１は磁気吸着力によりドア１００に固定するため磁石がつかない木製のドアには固定できないという問題もあった。
【００１１】
本発明の目的は、かかる従来技術の課題を解決し、ドアストッパをドアに固定することでドア側面が汚れたり、傷がついたりすることがないドアストッパを提供することである。また本発明の別の目的は、磁石のつかない木製のドアにも使用できるというドアストッパを提供することである。
【課題を解決するための手段】
【００１２】
上記目的を達成するため、本発明に係るドアストッパは、ドアが閉まらないようにするドアストッパにおいて、ドア側面方向から張り出して滑らないように床面を突っ張る脚部と、ドア下面部とドア側面部に接触する固定手段からなることを特徴とする。
【００１３】
本発明に係るドアストッパは、ドア側面方向から張り出した脚部により床面を突っ張ることでドアが閉まらないようにするドアストッパにおいて、ドア側面方向から張り出して滑らないように床面を突っ張る脚部と、ドア下面部とドア側面部を押し付ける固定手段と、脚部と固定手段を揺動自在に連結する連結部からなることを特徴とする。
【００１４】
本発明に係るドアストッパは、固定手段はドアストッパを床面に立たせることが可能なＬ字形状やＴ字形状、及びドアに取付け可能な略コの字形状であることが好ましい。
【００１５】
本発明に係るドアストッパは、ドアの下面から床面までの隙間に応じて、ドアの下面と接触する固定手段の高さから床面と接触する脚部先端の高さまでの長さを調整することができる長さ調整手段があることが好ましい。
【００１６】
本発明に係るドアストッパは、ドアストッパを使用しないときは脚部が床面に接触しないように保持することが出来る脚部保持手段があることが好ましい。
【００１７】
本発明に係るドアストッパは、固定手段をドアに接合する接着テープは、ドア下面部と固定手段が接触する面に配置されていることが好ましい。
【００１８】
本発明に係るドアストッパは、固定手段とドアが接触する面に取り付けられたネジの周辺にはネジの飛び出し高さより厚い保護部材が構成されていることが好ましい。
【００１９】
本発明に係るドアストッパは、固定手段には取っ手部が構成されていることが好ましい。
【００２０】
本発明に係るドアストッパは、脚部に一定範囲以上の力が加わると脚部の床面側に接触している滑り止め部の他に、安全手段の接触部が床面に接触し、滑り止め部による摩擦力を低減させることが好ましい。
【００２１】
本発明に係るドアストッパの前記接触部の形状は、回転するローラ形状やボール形状、滑り止め部より摩擦係数の低い材質からなる半球形状、曲面形状であることが好ましい。
【発明の効果】
【００２２】
上記構成の少なくとも１つにより、本発明に係るドアストッパは、ドアストッパをドアに固定することでドア側面が汚れたり、傷がついたりすることがないという効果を奏する。また、本発明に係るドアストッパは、磁石のつかない木製のドアにも使用できるという効果を奏する。
【発明を実施するための最良の形態】
【００２３】
以下に図面を用いて本発明に係る実施の形態につき詳細に説明する。以下においては、ドアが閉まる方向にゆっくり移動するドアクローザーが付いた玄関用のドアやホテルの客室のドアに使用するドアストッパとして説明するが、ドアクローザーが付いていないドアや、室内の木製ドアであっても良い。また、本発明はこれらの図面に限定されるものではない。さらに、図面に付した符号は、異なる図面においても同じ名称の部分には同じ符号を用いた。
【実施例１】
【００２４】
図１は本発明の実施例１となるＬ字形の固定手段を用いたドアストッパの立体図である。ドア下面部とドア側面部に接触して固定手段となるＬ字形固定手段４４、Ｌ字形固定手段４４はドアストッパを床面１０１に立たせ、さらに一部が突き出している突き出し部２がある。突き出し部２の床面側の端部に取付けられ滑り止めとなる滑り止め部３から構成されていて、突き出し部２と滑り止め部３からなる脚部１１により床面を突っ張ることでドアを固定する。
また実施例１のドアストッパはＬ字形固定手段４４と滑り止め部３の二つの部品から構成されているが、部品点数を減らしてコストダウンするために1つの部品でドアストッパを構成しても良い。
【００２５】
図２は本発明の実施例１の変形例１となるＬ字形の固定手段を用い、脚部１２の長さが調整できるドアストッパの立体図である。
固定手段となるＬ字形固定手段１、Ｌ字形固定手段１に蝶番４を固定しやすくする固定台１０、Ｌ字形固定手段１と固定台１０と蝶番４を固定する二つのネジ１８、脚部１２を上下方向に回転できるようにする蝶番４、蝶番４と長ネジ２２を二つのナット５により固定する脚固定部６、長ネジ２２の床面側には筒状滑り止め部６３が固定されて構成されている。脚部１２は、二つのナット５、長ネジ２２、筒状滑り止め部６３からなり、長ネジ２２に固定されているナット５の取付け位置を変えることで脚固定部６から、筒状滑り止め部６３までの長さを変えることが出来るので、ドアストッパを使用するドアの下面から床面までの隙間に応じて脚部１２の長さを変えることが出来るので、円柱状滑り止め部６３が床面を突っ張りやすい長さに調整することができるという効果がある。
【００２６】
図３は本発明の実施例１の変形例２となるＬ字形の固定手段１を用い、脚部１３の長さが調整でき、さらに安全手段が付いたドアストッパの立体図である。
固定手段となるＬ字形固定手段１、Ｌ字形固定手段１に蝶番４を固定しやすくする固定台１０、Ｌ字形固定手段１と固定台１０と蝶番４を固定する二つのネジ１８、脚部１３を上下方向に回転できるようにする蝶番４、蝶番４と長ネジ２２を二つのナット５により固定する脚固定部６、圧縮バネ８の一端を一つのナット５とワッシャ７が押さえ、圧縮バネ８の他端を長ネジ２２に平行に移動可能に取付けられた筒状滑り止め部７３により押さえて構成されている。
【００２７】
次の図４は実施例１の変形例３であり、実施例３と異なる点は、取っ手９が付いていて、さらに固定手段はＴ字形固定手段１１１を用いていることが異なるドアストッパである。この構成は図３の変形例２に似ているので、変形例２に対して変形例３の異なる機能を記載すると、変形例３は取っ手９を取付けたことで、ドア下面と床面の隙間にドアストッパを差し込む時に、かがんで差し込んでいたが、取っ手９があることで、かがまなくても立った姿勢で、容易にドア下面と床面の隙間にドアストッパを差し込むことが出来るという効果がある。
【００２８】
しかし、取っ手９を取付けることで、重心位置が高くなり、Ｌ字形固定手段１では、脚部１３側の方向に倒れやすくなるという問題が発生した。そのため脚部１３側に固定手段の底面部の面積を広げることでドアストッパが倒れにくくなり、安定して床面１０１に立たせることができた。このことにより、固定手段をＴ字形固定手段１１１にすることで、ドアストッパに取っ手９を取付けても安定して床面に配置出来るという効果がある。
ここで、実施例１、変形例１から変形例３までのドアストッパにおける使用時の状態について説明する。使用時の状態は実施例１、変形例１、変形例２、変形例３のドアストッパともドア１００に固定するドアストッパの向きは同様なので、変形例３を用いて説明する。図５、図６、図７はドア１００を固定する際にドアストッパの側面から見た使用状態図である。
【００２９】
まず、図５について説明する。ドア１００は図示しないドアクローザーがドア上部に取付けられていて、ドアが急に閉まらないようにドアクローザーによりドアを閉める力Ａでゆっくりドアが閉じる方向に動作している。ここで変形例３のドアストッパはドアの閉まる方向に脚部１３を向けて配置する。筒状滑り止め部７３は重力により床面１０１に接触する。床面１０１からドア１００の下面部１０５までの隙間Ｌ１にＴ字形固定手段１１１の底面部で脚部１３と反対側のドア下面接触部１１２が入るように配置する。
その後、図６はドアクローザーによるドアを閉める力Ａによりドア１００が閉まる方向のドア側面９９がＴ字形固定手段１１１のドア側面押付部１１３と接触する。
【００３０】
次の図７ではドアストッパがドア側面９９を押し付ける部分となる側面押付部１１３がドアを閉める力Ａによりドアが閉まる方向に更に押される。しかし、床面１０１に接触している筒状滑り止め部７３が滑らないように保持する摩擦力Ｂにより、ドアを閉める力Ａを押さえてドアが閉まろうとする動きを止める。そのときに床面１０１に対して垂直方向下向きの力Ｃが働き、床面１０１に対して垂直方向上向きの力ＤがＴ字形固定手段１１１を押し上げる。Ｔ字形固定手段１１１はドア１００の下面部１０５に接触し、さらにドア下面部１０５を押し上げる。このように筒状滑り止め部７３が滑らないように保持する力はＴ字形固定手段１１１により下面部１０５を押し上げ、さらにドア側面９９をドアが閉まらない方向に押し付ける。この二方向の力によりＴ字形固定手段１１１はドアに固定される。
【００３１】
つまり筒状滑り止め部７３が滑らないように保持する力の反作用を利用することにより実施例１や変形例１から変形例３のドアストッパをドア１００に固定することが出来る。
よって、接着剤やネジなどを使用しないので、ドア側面に傷を付けることが無いという効果がある。さらに特許文献１の磁石の吸着力でドア側面に固定するドアストッパと異なり、磁石がつかない木製のドアでも使用できるという効果もある。
【００３２】
次に図８は、床面１０１からドア下面部１０５までの隙間Ｌ２が図７に示した隙間Ｌ１より広くなった場合を示した図であり、長さ調整手段により脚部１３の長さを長くした側面図である。このように床面１０１からドア下面部１０５までの隙間はドアにより異なる。例えば床面１０１からドア下面部１０５までの隙間が広く、脚部１３が短かい場合は、床面１０１に脚部１３が接触しないため、床面１０１を突っ張ることが出来なくなる。また、隙間が狭く脚部１３が長すぎる場合は、床面１０１に対する脚部１３の接触角度θ１が小さくなることで、垂直方向下向きの力Ｃも小さくなり、滑らないように保持する摩擦力Ｂも少なくなり滑ってしまうという問題がある。
【００３３】
そこで、図８の隙間Ｌ２は図７の隙間Ｌ１より広いので、図８の脚部１３を固定する脚固定部６の上下にある二つのナット５の位置を調整し、脚３０の長さを長くした図が図８である。このように脚の長さを調整することで、床面１０１からドア下面部１０５までの隙間の異なるドアにも対応できるように、脚部の長さが調整できる長さ調整手段がある。
【００３４】
ここで、床面１０１に対する脚部１３の接触角度θ１の範囲についてマンションの玄関ドアにより実験したところ、接触角度θ１は５０度から８０度の角度範囲が好ましく、この範囲では筒状滑り止め部７３が滑らないで保持する力が強かった。
また接触角度θ１が８１度から９０度の範囲では、マンションの玄関ドアの開閉範囲内で床面１０１からドア下面部１０５までの隙間Ｌ２がばらつき、床面１０１に脚部１３接触しない箇所があり、安定してドア１００を保持することが出来なかった。
【００３５】
これはマンションの玄関の外の床は玄関に雨水が流れ込まないように床面１０１は玄関近辺を高くしているために床面１０１の高さが均一で無いことによるものである。
ドアの開閉範囲内で床面１０１からドア下面部１０５までの隙間が均一ならば、接触角度θ１の範囲幅も広くなり安定してドア１００を保持することが出来ると考えられる。
【００３６】
次の図９から図１４は安全手段について説明する。
ここで、ドアストッパの安全手段の必要性について説明する。例えばホテルの客室の掃除で部屋のドアを開ける際、ホテルの扉は安全のためドアクローザーが付いているので、ドアストッパを付けないと、開けたドアが自動的に閉じてしまう。さらにホテルはオートロックなので、一回ドアが閉まると自動的に鍵が掛かってしまい、鍵がないとドアを開けることが出来なくなる。特に、客室の掃除はシーツや衣類の交換など、頻繁に部屋と廊下を行き来するため、ドアが自動的に閉じて、鍵も自動的に掛かると、清掃しにくいので、一般的に床面からドア下面部までの隙間に楔形状のドアストッパを使用してドアを固定している。
【００３７】
しかし、ホテルの清掃は限られた時間内に行わなければならないので、誤って急いでしまい、楔形状のドアストッパを掛けたままドアが閉まる方向に押してしまうことがある。このように、ドアが閉まる方向に一定以上の力が加わるとドアの蝶番を変形させドアを壊してしまうという問題があった。
また、清掃は日ごとに行うで楔形状のドアストッパにより、ドアの蝶番に少しずつ負担がかかり、ドアのガタが多くなるという問題もあった。
そこで一定以上の力がドアストッパに加わった場合、停止力を弱めドアが閉まる方向に動作する安全手段があるドアストッパが必要になった。
【００３８】
安全手段についての説明図の図９、図１０は摩擦係数の小さい材料からなる安全手段の断面図、図１１は球の回転部がある安全手段の断面図、図１２から図１４はローラの回転部がある安全手段の図で説明する。
まず図９は一定以内の力がドアストッパに加わった時の状態図であり、脚部１３の筒状滑り止め部７３の断面を図示している。摩擦係数の高い弾性材料からなる筒状滑り止め部７３、筒状滑り止め部７３の床接触面側はφ１２ｍｍの大きい内径の穴、筒状滑り止め部７３の圧縮バネ８側は、内径φ６ｍｍのアルミパイプ１５が挿入され、直径φ５ｍｍの長ネジ２２がアルミパイプ１５内でスライドできるようにクリアランスが確保されている。長ネジ２２の床接触面側の端部には滑りキャップ１４が固定されている。滑りキャップ１４の材質は筒状滑り止め部７３より摩擦係数の低い材料の硬質ポリエチレンで出来ている。滑りキャップ１４の材質は、摩擦係数μが０．０８〜０．１８の硬質ポリエチレンが良く、超高分子ポリエチレン、ポリアセタールも良い、また摩擦係数は０.２以下が好ましい。
【００３９】
次に働きについて説明する。圧縮バネ８はバネ力Ｚの方向に伸びようとする力を加えるので、筒状滑り止め部７３をバネ力Ｚの力で押し付けているが、滑りキャップ１４の外形が内径φ６ｍｍのアルミパイプ１５より大きいので、筒状滑り止め部７３は滑りキャップ１４と圧縮バネ８により一定のバネ力で挟まれている。
そして、床面１０１に対して垂直方向下向きの力Ｆ、ドア１００が閉まらないように保持する摩擦力Ｇにより、ドア１００を停止させている。この状態は筒状滑り止め部７３のみが床面１０１に接触しているので、ドア１００が閉まらないように保持する摩擦力Ｇは筒状滑り止め部７３のみに発生している。
【００４０】
次の図１０は一定以上の力がドアストッパに加わった時の状態図である。一定以上の力が圧縮バネ８に加わると、バネが収縮し筒状滑り止め部７３が圧縮バネ８の方向にスライドする、そして安全手段の接触部となる滑りキャップ１４も床面１０１に接触する。
滑りキャップ１４の材質は筒状滑り止め部７３の材質より摩擦係数が小さいため、滑りキャップ１４により押しつける垂直方向下向きの力Ｉに働く摩擦力Ｊは筒状滑り止め部７３に働く摩擦力Ｈより小さい。
さらに、滑りキャップ１４が床面１０１に接触し垂直方向下向きの力が加わるので、筒状滑り止め部７３に加わる垂直方向下向きの力Ｅは大きくならないので、摩擦力Ｈも大きくならない。よって、ドア１００が閉まらないように保持する摩擦力Ｊと摩擦力Ｈだけではドアが保持出来なくなり、ドアストッパはドアが閉まる方向に滑りだす。そして筒状滑り止め部７３は静止摩擦係数から動摩擦係数に変わる、動摩擦係数は静止摩擦係数より小さいため一度滑り出すとより滑りやすくなる。このことによりドアに一定以上の力が加わると、安全手段によりドアストッパがドアを保持できなくなり滑りだすのでドアの蝶番の破壊や、ドアのガタが大きくなるということを防止できるという効果がある。
【００４１】
また、圧縮バネ８の端面はワッシャ７とナット５により固定されているので、
ナット５の位置を変えることで圧縮バネ８の圧縮力を調整することが出来るので、安全手段が動作する力を調節することが出来るという効果もある。
また、図１１は安全手段の変形例であり、長ネジ２２の端部に取付けるボール取付け部１７と安全手段の接触部となる回転ボール１６であり、滑りキャップ１４の代わりに、先端に回転可能なボールが付いている機構を用いても良い。
【００４２】
さらに別の安全手段を図１２から図１４により説明する。図１２は一定以内の力がドアストッパに加わった時の状態図で、板状の脚２３の床面１０１に接触する側の部分側面図である。図１３は図１２の矢印Ｋ方向のから見た背面図である。板状の脚２３に板状滑り止め２０を取付けるネジ１８、ナット１９、板状の脚２３の先端に構成されている回転ローラ２１、板状の脚２３には調整穴８５が複数開いていて板状滑り止め２０の取付け位置を変えることが出来るようになっている。
次に働きについて説明する。図１２では床面１０１に対して垂直方向下向きの力Ｍ、ドア１００が閉まらないように保持する摩擦力Ｎが加わっている。
【００４３】
ここで、板状滑り止め２０の弾性材料は、摩擦係数μが０．４〜０．８のポリウレタン材質などがよく、他に、シリコンゴム、合成ゴムでも良く０．３以上の摩擦係数の材料が良い。ポリウレタン材質などの弾性体は、力が加わった方向に弾性変形するので、垂直方向下向きの力Ｍが板状滑り止め２０に加わると垂直方向にも弾性変形する、図１２は一定以内の力が加わった状態図なので、板状滑り止め２０のみが床面１０１に接触してドア１００が閉まらないように保持する摩擦力Ｎによりドア１００を停止させている。
【００４４】
次に図１４は一定以上の力がドアストッパに加わった時の状態図である。一定以上の力が板状滑り止め２０に加わり弾性変形して、安全手段の接触部となる回転ローラ２１も床面１０１に接触する。
回転ローラ２１は回転して移動するので摩擦力Ｒは小さくなり、回転ローラ２１により押しつける垂直方向下向きの力Ｐに働く摩擦力Ｒは、板状滑り止め２０に働く摩擦力Ｑより小さい。
さらに、回転ローラ２１が床面１０１に接触し垂直方向下向きの力が加わるので、板状滑り止め２０に加わる垂直方向下向きの力Ｏは大きくならないので、摩擦力Ｑも大きくならない。よって、ドア１００が閉まらないように保持する摩擦力Ｒと摩擦力Ｑだけではドアが保持出来なくなり、ドアストッパはドアが閉まる方向に滑りだす。そして板状滑り止め２０は静止摩擦係数から動摩擦係数に変わる、動摩擦係数は静止摩擦係数より小さいため一度滑り出すとより滑りやすくなる。このことによりドアに一定以上の力が加わると、安全手段によりドアストッパがドアを保持できなくなり滑りだすのでドアの蝶番の破壊や、ドアのガタが大きくなるということを防止できるという効果がある。
【００４５】
また板状滑り止め２０の弾性変形を利用した安全手段は、圧縮ばねを必要としないので安価であるという効果がある。さらに、板状の脚２３に装着されたローラ２１を使用しないで、板状の脚２３の床面側を面取りして滑りやすくしたり、滑りやすいテープを貼り付けても良い。また板状の脚２３の材料は板状滑り止め２０より摩擦係数の低い材料が良く、摩擦係数μが０．１８〜０．０８の硬質ポリエチレンが良く、超高分子ポリエチレン、ポリアセタールも良い、摩擦係数は０.２以下が好ましい。
また板状の脚２３には調整穴８５が複数開いていて板状滑り止め２０の取付け位置を変えることが出来るようになっている。これは安全手段が動作する力を調整するための調整穴８５であり、板状滑り止め２０の変形に応じて取付け位置を決める。ここで図１３では調整穴８５は丸穴であるが微調整が出来るように長穴にしても良い。
【実施例２】
【００４６】
図１５から図２１は本発明の実施例２の略コの字型の固定手段を用いたドアストッパである。図１５は実施例２の略コの字型の固定手段を用いた側面図、図１６は実施例２の略コの字型の正面図、図１５、図１７、図１８は実施例２の脚部保持手段の動作説明図、図１９は図１５の隙間Ｌ３より隙間が広くなった隙間Ｌ４のドアに対して長さ調整手段により、調整版３７の取り付け位置を床１０１方向に移動させて取り付けた側面図、図２０は略コの字型の固定手段でのネジの飛び出し高さより厚い保護部材と接着テープの取り付け配置の説明図、図２１はドアの厚みに応じて取り付けられる略コの字型の固定手段の断面図である。
【００４７】
図１５は略コの字型固定手段３０、ネジ１８、ネジ１８がドア１００を傷つけないように保護するためのネジ１８の飛び出し高さより厚い保護部材３５、ナット１９、長さ調整手段が付いた固定手段の調整板３７、脚部８０は板状滑り止め部３３、脚磁石３２、脚板３１、連結部となる蝶番３４で構成される。さらに蝶番３４と調整板３７を固定する脚固定部３６、金具押さえ３８、保持解除金具３９、ドアが閉まる方向のドア側面９９、床面１０１、ドア下面部１０５、ドアストッパがドア側面を押す部分となるドア側面押付部１２３、調整板磁石１３２、床面１０１に対して垂直方向上向きの力Ｙ、ドアクローザなどによりドアを閉める力Ｓ、ドアが閉まらないように保持する摩擦力Ｔ、床面１０１に対して垂直方向下向きの力Ｖ、脚部保持方向Ｎ１からなる。
【００４８】
次に使用方法について説明する、初めに図１５の側面図と図１６の正面図に示す実施例２の固定手段が略コの字型のドアストッパを取り出す。次にドア１００のドア下面部１０５に略コの字型固定手段３０を取り付ける。略コの字型固定手段３０は弾性力があるためドア１００の厚さを挟み込むようにして押さえるのでドア１００に取り付けることが出来る。脚部８０は蝶番３４を軸として上下方向に回転し、板状滑り止め部３３が重力により下方向に回転して床面１０１と接触する。ドア１００は図示しないドアクローザーによりドアを閉める力Ｓの方向に移動しようとするが、板状滑り止め部３３の摩擦力Ｔによりドア１００の動きは停止している。
【００４９】
また板状滑り止め部３３には垂直方向下向きの力Ｖも働く、この垂直方向下向きの力Ｖの反作用となる垂直方向上向きの力Ｙは略コの字型固定手段３０に加わりドア下面部１０５を床面に対して垂直方向に押し上げる、ドア１００は図示しないドアの蝶番とドア枠により固定されているので、略コの字型固定手段３０はドアの隙間Ｌ３の位置で固定される。また摩擦力Ｔにより略コの字型固定手段３０のドア側面押付部１２３はドアが閉まろうとする方向のドア側面９９を押し付けるのでドア側面方向にも固定される。なお図１５の場合、ドア側面押付部１２３はドアストッパがドア側面９９と接触しているドア側の保護部材３５の面となる。
【００５０】
ここで、略コの字型固定手段３０は弾性力があるためドア１００の厚さを挟み込むようにして押さえるが、その押さえ力以外にドアストッパによりドアを保持している時に、ドア下面部１０５を押し上げる床面に対して垂直上向き方向の力と、床面に対して水平でドアか閉まらない方向に働くドア側面９９を押し付ける力により略コの字型固定手段３０はより強くドア１００に固定される。
【００５１】
このドアを保持している時に働くドアストッパを固定する力は、例えば、ドア開閉時の振動と重力の影響により、略コの字型固定手段３０が下方向にずれてしまっても、ドアストッパを使用することで、垂直方向上向きの力Ｙが働きドア１００に略コの字型固定手段３０は押し込まれて、もとの位置に戻ることが出来るので、略コの字型固定手段３０は外れにくくなるという効果がある。
【００５２】
次に図１５、図１７、図１８により脚部保持手段を説明する。
ドアストッパを使用しない場合は脚部保持方向Ｎ１に脚部８０を移動させ脚磁石３２を調整板磁石１３２に磁力の吸着力により吸着させることで図１７のように脚部８０は固定される。ここでは脚部３０の保持に磁石を使用したが、脚部保持手段は凹形状と凸形状の部分を形成しバネなどにより保持する係り止めを使用しても良い。
【００５３】
また、図１８に示すようにドアストッパを使用する場合は保持解除金具３９を床面１０１に対して水平方向に押す力Ｎ２により、調整板磁石１３２から脚磁石３２を引き離すことができ、重力により、Ｎ３方向に脚部８０が回転して、板状滑り止め部３３が床面１０１に接触して、簡単にドアストッパを使用することが出来る。水平方向に押すだけなので、かがんで手で押すのではなく、立った状態で足を使って押すこともできるのでより簡単である。さらに押す力Ｎ２は水平方向に押すので、略コの字型固定手段３０がドア１００から外れる心配は無い。
【００５４】
図１９は図１５の隙間Ｌ３より隙間が広くなった隙間Ｌ４のドアに対して長さ調整手段により、脚部８０の取り付け位置を床１０１方向に移動させ取り付けた側面図であり、ドアの隙間にあわせて、脚部長さ調整穴４０の位置を決め、ネジ１８とナット１９により固定する。実験より実施例１のドアストッパと同様に玄関ドアの場合は、接触角度θ２は５０度から８０度の角度範囲が好ましい角度であった。
【００５５】
図２０は略コの字型の固定手段で接着テープの取り付け配置の説明図である。ここで略コの字型固定手段３０の弾性力によりドア１００の厚さを挟み込むようにして押さえるが、押さえが弱くドアストッパがドア１００から外れやすい場合には、略コの字型固定手段３０とドア下面部１０５が接触する面に接着テープを使用する。図２０では両面テープ４１を使用して略コの字型固定手段３０とドア下面部１０５を固定している。引越しなどで、ドアストッパを取り外しても、ドア下面部１０５のみに、両面テープ４１の残りカスがつくので、外側から見ても両面テープ４１の残りカスは見えにくいので、ドア側面はきれいに保てる。従来はドア側面に接着剤やビスを使用して固定していたのでドア側面に傷がついたり、接着剤の痕がつき取れにくいという問題があったが、固定する位置を目立たないドア下面部１０５にすることで、ドア側面がきれいに保てるという効果がある。
【００５６】
また、図２０は略コの字型の固定手段でネジの飛び出し高さより厚い保護部材の取り付け配置の説明図でもあるので、この内容についても説明する。
略コの字型の固定手段でドア１００が接触する面はドアが傷つかないようにする必要がある。また固定手段によりドア下面部１０５とドア側面９９には押さえつける力が加わるので、この面に硬い凸部があるとドアを傷つけてしまう。そこで、ネジの飛び出し高さより厚い保護部材をネジ近傍に配置することで、ネジの硬い凸部に直接ドア１００が接触しないので、ドアを傷つけることが無いという効果がある。もちろんネジ以外の凸部となるナット等も同様である。
【００５７】
ここでは図２０は略コの字型の固定手段について保護部材の厚さや取り付け配置を説明しているが、Ｌ字形状やＴ字形状の固定手段も同様である。
また、ドアが接触する面すべてに保護部材を構成しても良い。またドア１００が接触する固定手段の面に硬い凸部が出ないようにしても良いことは言うまでも無い。
図２１はドアの厚みに応じて取り付けられる略コの字型の固定手段の断面図であり、略コの字型の固定手段はネジ１８が入る貫通穴がある移動押さえ４９とネジ１８が入り調整範囲Ｗの範囲でネジが移動できるように楕円状の貫通穴が開いている固定押さえ４８と、ネジ１８、ナット１９、傷防止用保護部材４７、ネジの飛び出し高さより厚い保護部材５０により構成されている。固定押さえ４８と移動押さえ４９の間隔をドア１００の厚さＸにあわせて、ネジ１８、ナット１９で固定しているので、ドアの種類により厚さＸが変化しても調整範囲Ｗの範囲で厚さ調整が可能という効果がある。
【図面の簡単な説明】
【００５８】
【図１】本発明の実施例１のドアストッパの立体図
【図２】本発明の実施例１の変形例１となるドアストッパの立体図
【図３】本発明の実施例１の変形例２となるドアストッパの立体図
【図４】本発明の実施例１の変形例３となるドアストッパの立体図
【図５】本発明のドアストッパの側面から見た固定前の状態図
【図６】本発明のドアストッパの側面から見た固定中の状態図
【図７】本発明のドアストッパの側面から見た固定後の状態図
【図８】実施例１のドアストッパの脚部の長さを長くした側面図
【図９】摩擦係数低い材料からなる安全手段の断面図
【図１０】摩擦係数低い材料からなる安全手段が動作した時の断面図
【図１１】回転ボールからなる安全手段の断面図
【図１２】板状の脚部による安全手段の側面図
【図１３】板状の脚部による安全手段の背面図
【図１４】板状の脚部による安全手段が動作した時の側面図
【図１５】本発明の実施例２のドアストッパの側面図
【図１６】本発明の実施例２のドアストッパの正面図
【図１７】脚部保持手段の脚磁石を調整板磁石に吸着させた時の側面図
【図１８】脚部保持手段の調整板磁石から脚磁石を引き離した時の側面図
【図１９】実施例２のドアストッパの調整板の取付位置を床方向に取付た側面図
【図２０】実施例２の保護部材と接着テープの取り付け配置の側面図
【図２１】ドアの厚みに応じて取り付ける略コの字型固定手段の断面図
【図２２】従来例となるドアストッパの立体図
【図２３】従来例となるドアストッパのケース断面図
【符号の説明】
【００５９】
１Ｌ字形固定手段、１１，１２，１３，８０脚部、３滑り止め部、４，３４蝶番、６，３６脚固定部、８圧縮バネ、９取っ手、１０固定台、１４滑りキャップ、１８ネジ、１９ナット、２２長ネジ、３３板状滑り止め部、３２脚磁石、３８金具押さえ、３９保持解除金具、脚部長さ調整穴４０、４７傷防止用保護部材、５０保護部材、６３円柱状滑り止め部、７３筒状滑り止め部、９９ドア側面、１００ドア、１０１床面、ドア下面部１０５、１１１Ｔ字形固定手段、１３２調整板磁石、Ａ，Ｓドアを閉める力、Ｌ１，Ｌ２，Ｌ３，Ｌ４隙間、Ｃ，Ｖ垂直方向下向きの力、Ｄ，Ｙ垂直方向上向きの力
【図１】
2008014054.tif 000003
【図２】
2008014054.tif 000004
【図３】
2008014054.tif 000005
【図４】
2008014054.tif 000006
【図５】
2008014054.tif 000007
【図６】
2008014054.tif 000008
【図７】
2008014054.tif 000009
【図８】
2008014054.tif 000010
【図９】
2008014054.tif 000011
【図１０】
2008014054.tif 000012
【図１１】
2008014054.tif 000013
【図１２】
2008014054.tif 000014
【図１３】
2008014054.tif 000015
【図１４】
2008014054.tif 000016
【図１５】
2008014054.tif 000017
【図１６】
2008014054.tif 000018
【図１７】
2008014054.tif 000019
【図１８】
2008014054.tif 000020
【図１９】
2008014054.tif 000021
【図２０】
2008014054.tif 000022
【図２１】
2008014054.tif 000023
【図２２】
2008014054.tif 000024
【図２３】
2008014054.tif 000025